(57)【要約】【課題】簡単快速に分解組み合せ可能なバスケットボールのシューティングマシンの構造設計を提供する。【解決手段】前部箱１０及び後部箱２０を寄り合せて構成されている。前部箱１０の上層に設けられる斜め板１４、外ボール案内板１５及び両側当て板１２、１３は簡易に取り外すことができ、後部箱２０上層に設けられる両側板２３は外へ折り倒すことができ、内ボール案内板２４は傾き倒すことができ、後部箱２０上層のネットフレーム枠２２は内側へ垂直に倒すことができ、前部箱１０の二枚の下当て板１３は間隔を縮小することができる。これにより、前部箱１０は後部箱２０に押し込んで重ねられる。【選択図】図１
0003128044.tif 000002
【実用新案登録請求の範囲】
【請求項１】
前部箱及び後部箱を有し、
前部箱を構成する部分は、電子コイン投入箱台と、両側の上当て板及び下当て板と、斜め板と、外ボール案内板と、それぞれ両側に設けられてあるボール当てとを有し、
電子コイン投入箱台は両側にそれぞれ可動に一枚の下当て板が結合され、
上当て板は可動に両側下当て板の上側に結合され、かつ両側上当て板の間には斜め板が設けられ、
両側下当て板の間には外ボール案内板が敷設され、
後部箱を構成する部分は、下台と、上層のネットフレーム枠と、上層に設けられる二枚の側板とを有し、
下台内には傾斜した内ボール案内板が設けられ、かつ内ボール案内板の末端は下台に枢接して設けられ、
上層ネットフレーム枠の両側にはそれぞれ側板が設けられ、ネットフレーム枠の内面にはネットフレームが設けられ、ネットフレーム枠の二枚の側板の垂直側はネットフレーム枠に取り付けられ、水平側は下台と枢接して結合され、ネットフレーム枠と下台も枢接して結合され、
前部箱上層に設けられる斜め板、外ボール案内板、及び両側の当て板は取り外し可能であり、後部箱上層に設けられる二枚の側板は外側へ折り倒し可能であり、内ボール案内板は下へ倒すことが可能であり、後部箱上層のネットフレーム枠は内側へ垂直に倒すことが可能であり、前部箱の二枚の下当て板は間隔を縮小可能であり、前部箱は後部箱に押し込んで重ね整合可能であり、取り外し整理した後は体積が低減されることを特徴とする快速に分解組み合せ可能なバスケットボールのシューティングマシン。
【請求項２】
前記前部箱の両側下当て板の内面には、それぞれ外ボール案内板の敷設定位に供される傾斜した支え筋板が設けられることを特徴とする請求項１に記載の快速に分解組み合せ可能なバスケットボールのシューティングマシン。
【請求項３】
前記前部箱の外ボール案内板の両側には、それぞれ欠け口が具えられて両側のボール当ての対応嵌め込み定位に合わせ可能であることを特徴とする請求項１に記載の快速に分解組み合せ可能なバスケットボールのシューティングマシン。
【請求項４】
前記前部箱の両側下当て板の内面には横方向支柱の嵌め込み定位に供される嵌め孔が設けられていることを特徴とする請求項１に記載の快速に分解組み合せ可能なバスケットボールのシューティングマシン。
【請求項５】
前記後部箱の上層ネットフレーム枠の二枚の側板の上端には、頂板が跨って設置されていることを特徴とする請求項１に記載の快速に分解組み合せ可能なバスケットボールのシューティングマシン。
【請求項６】
前記後部箱のネットフレームの相応裏面には駆動装置が取り付けられ、前記駆動装置を用いてネットフレームを移動可能に制御することを特徴とする請求項１に記載の快速に分解組み合せ可能なバスケットボールのシューティングマシン。
【請求項７】
前記後部箱のネットフレーム枠の背部は箱であり、一枚の片開き式または二枚の両開き式蓋板が設けられることを特徴とする請求項１に記載の快速に分解組み合せ可能なバスケットボールのシューティングマシン。
【請求項８】
前記前部箱の両側下当て板と電子コイン投入箱台とは組み合せ嵌め付け方式を用いて活動的な結合を形成し、これにより片側または両側の下当て板は内側へある距離を縮退した後、再び電子コイン投入箱台と結合して前部箱の両側下当て板の間隔を縮小可能であることを特徴とする請求項１に記載の快速に分解組み合せ可能なバスケットボールのシューティングマシン。
【請求項９】
前記前部箱の両側下当て板と電子コイン投入箱台とは互いの活動的結合の位置にあって、それぞれ互いに組み合せ可能な凹形嵌合部及び凸形嵌合部が設けられ、前記凹形嵌合部は一対の凹孔の形状であり、かつ二つの凹孔はある一定の隙間を隔たり、両側下当て板の凸形嵌合部が内側の凹孔に嵌め込まれると、下当て板は内側へある距離を縮退し、並びに再び活動的に結合することを特徴とする請求項１に記載の快速に分解組み合せ可能なバスケットボールのシューティングマシン。
【請求項１０】
前記前部箱両側の上当て板及び下当て板は前記上当て板及び下当て板の接合端にそれぞれ一つまたは一つ以上の相対して嵌め合せ可能なピンとピン孔とが設けられることを特徴とする請求項１に記載の快速に分解組み合せ可能なバスケットボールのシューティングマシン。
【請求項１１】
前記前部箱両側の上当て板の間に設けられる斜め板は、両側の上当て板の相対傾斜位置にそれぞれ斜め板の挿入に供されるレールが予め設けられることを特徴とする請求項１に記載の快速に分解組み合せ可能なバスケットボールのシューティングマシン。
【請求項１２】
前記後部箱の内ボール案内板前端に自動で昇降可能なボール当て板が設けられることを特徴とする請求項１に記載の快速に分解組み合せ可能なバスケットボールのシューティングマシン。
【請求項１３】
前記後部箱の下台と上層ネットフレーム枠との相対内側位置に一つまたは一つ以上の枢接部材が設けられて枢接結合を形成することを特徴とする請求項１に記載の快速に分解組み合せ可能なバスケットボールのシューティングマシン。
【請求項１４】
前記後部箱の下台両側枠板の頂端にはそれぞれボルトが設けられ、上層ネットフレーム枠の相対位置には孔が設けられ、ボルトを孔に通してナットで締め付け定位可能であることを特徴とする請求項１に記載の快速に分解組み合せ可能なバスケットボールのシューティングマシン。
【請求項１５】
前記前部箱と後部箱とはそれぞれ箱の底部に複数個の脚敷きとキャスターとが設けられ、かつ脚敷きは高さの調整に供することが可能であることを特徴とする請求項１に記載の快速に分解組み合せ可能なバスケットボールのシューティングマシン。
【考案の詳細な説明】
【技術分野】
【０００１】
本考案はバスケットボールのシューティングマシンを提供するもので、特に簡単快速に分解組み合せ可能なバスケットボールのシューティングマシンで、それが分解再組み立てされたら元来の体積を大幅に縮減することが可能なものを指す。
【背景技術】
【０００２】
バスケットボールのシューティングマシンは遊戯者のコイン投入によって始動され、ボールシューティングのゲームを行うことができ、スポーツとレージャーの娯楽的目的が達成される。従来のバスケットボールのシューティングマシンは体積が大きいので、やや大きいスペースがなければ保存のニーズを満足することができず、倉庫保管、包装、運送、または収納時に於いて、そのシューティングマシンの主要部材を逐一取り外ししなければ、そのシューティングマシンの体積を縮減することができず、そのために倉庫保管、包装、運送時に於いて、ともにスペースの無駄と負担になり、かつ各種管理販売のコストが増えてしまう。この外、従来のバスケットボールのシューティングマシンは部材が複雑であるので、分解または組みなおし時は非常に不便で時間と工数の無駄になり、迅速に分解または組みなおしを完成することができず、簡単、快速、かつ効率的の原則に符合しない。
【考案の開示】
【考案が解決しようとする課題】
【０００３】
本考案の主要目的は簡単快速に分解組み合せが可能なバスケットボールのシューティングマシンの構造設計を提供するもので、それは前部箱及び後部箱を寄り合わせて構成され、特に前部箱の上層に設けられてボール当てに供される斜め板、外ボール案内板及び両側当て板は簡易に取り外すことができ、後部箱上層に設けられる二枚の側板は外へ折り倒すことができ、内ボール案内板は傾き倒されて後部箱上層のネットフレーム枠は内側へ垂直に倒すことができ、かつ前部箱の二枚の下当て板は間隔を縮小することができるので、前部箱は後部箱に押し込んで重ね整合を形成し、全体の分解または組み立てが極めて簡単迅速になり、特に分解整合した後は体積を大幅に縮減することができ、倉庫保管、包装、及び運送時に於いてそれの占めるスペースを縮約することができる。
【課題を解決するための手段】
【０００４】
快速に分解組み合せが可能なバスケットボールのシューティングマシンの構造設計で、それの主要は前部箱及び後部箱を寄り合せて構成され、その中、前部箱の上層に設けられる斜め板、外ボール案内板及び両側当て板は簡易に取り外すことができ、後部箱上層に設けられる両側板は外へ折り倒すことができ、内ボール案内板は傾き倒すことができ、後部箱上層のネットフレーム枠は内側へ垂直に倒すことができ、前部箱の二枚の下当て板は間隔を縮小することができるので、前部箱は後部箱に押し込んで重ね整合を形成し、全体の分解または組み立てが極めて簡単迅速になり、分解整合した後は体積を大幅に縮減することができ、倉庫保管、包装、及び運送時に於いて、すべてそれの占めるスペースを有効に節約することができる。
【考案を実施するための最良の形態】
【０００５】
図１に示すように、本考案の一実施例による「快速に分解組み合せ可能なバスケットボールのシューティングマシン」は、主に前部箱１０及び後部箱２０を備え、その前部箱１０及び後部箱２０は隣り合わせに寄せ付け構成され、前述前部箱１０は、電子コイン投入箱台１１、両側の上当て板１２、下当て板１３、斜め板１４、外ボール案内板１５、及び両側にそれぞれ設けられるボール当て１６から構成され、後部箱２０は、下台２１、上層のネットフレーム枠２２、及び上層に設けられる二枚の側板２３から構成される。
【０００６】
前述前部箱１０の部分を構成する電子コイン投入箱台１１は両側にそれぞれ一枚の下当て板１３が可動に結合され、上当て板１２は可動に両側下当て板１３の上側に結合され、かつ両側上当て板１２の間にはボール当てに供される斜め板１４が設けられ、両側下当て板１３の内面にはそれぞれ適当な傾斜に現れる支え筋板１３１が設けられて（図５参照）外ボール案内板１５が両側下当て板１３の上側に敷設されることに用いられ、前述外ボール案内板１５の両側にはそれぞれ両側のボール当て１６の対応嵌め付け定位に合わせられる欠け口１５１が具えられ、また両側下当て板１３の内面にはそれぞれ嵌め孔１３２が設けられ（図６参照）、横方向支柱１７の嵌め付け定位に供されて前部箱１０の横方向支えを提供する。
上述電子コイン投入箱台１１は周知の装置であり、それはコイン投入後直ちにボールシューティングのゲームを行うことができ、その電子コイン投入箱台１１には押しボタン１１１、コイン投入孔１１２、及び箱内に電子基板等周知の電子制御装置が設けられる。
【０００７】
後部箱２０を構成する部分は下台２１及び上層のネットフレーム枠２２を有し、その下台２１の両側にはそれぞれ上枠板２１１及び下枠板２１２が付設され、両側上枠板２１１の内面にはそれぞれ適当に傾斜する支え筋板２１３が設けられ（図７参照）、それは内ボール案内板２４が傾斜して敷設されることを提供し、内ボール案内板２４の末端は下台２１に枢設され、両側の上枠板２１１が取り出されたら内ボール案内板２４は適当な角度までに下げられ、前述上層のネットフレーム枠２２の両側にはそれぞれ側板２３が付設され、側板２３の上端には頂板２５が跨って設けられ、ネットフレーム枠２２内にはネットフレーム２２１が設けられ、ネットフレーム２２１の相応裏面には駆動装置２２２が取り付けられ（図１０参照）、その駆動装置２２２を用いてネットフレーム２２１を移動可能に制御し、ボールシューティングの娯楽性を高める。前述ネットフレーム枠２２の二枚の側板２３はそれぞれネットフレーム枠２２の両側に設けられてネットフレーム枠２２への取り付け固定に供され、水平側は一つまたは一つ以上の蝶番２３２を用いて下台２１と枢接結合を形成するので、垂直側の締め付け固定が解除されたら（頂板２５は先に外される）、二枚の側板２３はそれぞれ外へ倒されて下台２１の両側に置くことができる。かつネットフレーム枠２２と下台２１も同じく枢接結合され、またネットフレーム枠２２の背部も箱でよく、それは駆動装置２２２の設置に供され、かつ一枚の片開き式または二枚の両開き式の蓋板２２３、２２４が設けられる（図１０参照）。また下台２１の両側の枠板２１４（図１１参照）も内側へ折り倒して（図１２参照）占めるスペースを縮減することができる。下台２１を分解する場合は頂板２５を取り外すだけで、二枚の側板２３をそれぞれ外へ折り倒して下台２１の両側に置き、それから下台２１の両側の上枠板２１１を取り出し（図７から図９参照）、それによって内ボール案内板２４は下へ倒すことができ、最後はネットフレーム枠２２全体を倒して下台２１の上に置けば、快速に後部箱２０の分解動作を完成することができる（図１１と図１２参照）。
【０００８】
上述前部箱１０の両側下当て板１３は電子コイン投入箱台１１と可動の結合に現れているので、組み合わせ嵌め付け方式を用いて片側または両側の下当て板１３を適当に内側へある間隔を縮退させ（図１３参照）、それから電子コイン投入箱台１１と再び結合させ、そうすれば前部箱１０両側の下当て板１３の間隔は適当に縮小され、前部箱１０はその勢いに順じて後部箱２０に押し込まれて重ね整合されるので（図１４参照）、全体の分解は極めて簡単迅速であり、かつ分解整合後はそれの体積を大幅に縮減させることができ、元来体積の約四分の一になり、倉庫保存、運送、または収納時に於いて、ともにそれの占めるスペースを有効に節減することができ、かなり管理販売コストを節約するで、最大の空間効果を発揮することができる。
【０００９】
図１５に示すように、上述前部箱１０の両側の下当て板１３と電子コイン投入箱台１１とは、実施時にそれらの可動結合位置にそれぞれ互いに組み合せられる凹形嵌合部１１３及び凸形嵌合部１３３が設けられ、図１６から図１８に示すように、その凹形嵌合部１１３は一対の凹孔の形状で、かつ二つの凹孔１１３a、１１３ｂはある一定の隙間を隔たり、それによって凹孔１１３aまたは１１３ｂはともに凸形嵌合部１３３の嵌め込み結合を提供することができ、両側下当て板１３の凸形嵌合部１３３がともに内側の凹孔１１３aに嵌め込まれると、下当て板１３は内側へある間隔縮退し、並びに再び可動に結合して両側下当て板１３の間隔縮小の目的が達成される。ところで、上述は代表的実施例だけであり、およそその他可動的結合の同等効果を用い、それの片側または両側の下当て板１３を適当に内側へ縮退する簡単な代替構造は、勿論本案の技術特徴から離脱しないものとする。
【００１０】
上述前部箱１０両側の上当て板１２及び下当て板１３は、上当て板１２及び下当て板１３の接合端にそれぞれ一つまたは一つ以上の相対して嵌め合わせられるピン１２１とピン孔１３４とが設けられ（図３参照）、そのピン孔１３４は鍵穴の形のようにしてピン１２１を快速に挿入でき（図１９参照）、かつある距離を移動したらよりよい嵌め合わせ定位が得られるようにしてもよい（図２０参照）。同じく、上当て板１２及び下当て板１３の可動的結合の実施構造は上述実施例に限らず、およそ簡易な同等効果の代替ができればすべて実施可能である。
【００１１】
上述両側上当て板１２の間に設けられてボール当てに供される斜め板１４は、一般の締め付け方式を用いて両側上当て板１２の間に結合される他、それは更に両側上当て板１２の相対傾斜位置にそれぞれ斜め板の挿入に供されるレール１８が予め設けられ（図２参照）、斜め板１４を迅速に挿入して組み立てを完成し、または抜き出して直ちに分解することができ、斜め板１４の設置は主としてボール止めに供され、ボールが後部箱２０の外へ弾み出さないようにし、ボールがネットフレーム２２１から落下したら内ボール案内板２４に沿って外ボール案内板１５へ転がるようにする。
【００１２】
前述内ボール案内板２４の前端にボール当て板２４１が設けられ（図４参照）、それはコイン投入後、ボール当て板２４１を自動に降りてボールが転がり出るようにし、ゲームが終わるとボール当て板２４１は自動に上がってボールの継続的転び出しを阻止し、このボール当て板２４１の昇降装置は周知のものであるので、余計な説明はしない。
上述頂板２５は後部箱２０の上層ネットフレーム枠２２の二枚の側板２３の上端に跨って締め付けられる。
【００１３】
この外、前述後部箱２０の下台２１と上層ネットフレーム枠２２とは同じく枢接結合に現れ、図２１及び図２２に示すように、それは下台２１と上層ネットフレーム枠２２との相対内側位置に一つまたは一つ以上の枢接部材２６が設けられ、下台２１両側の枠板２１４の頂端にはそれぞれボルト２１５が設けられ、上層ネットフレーム枠２２の相対位置には孔２２５が設けられ、下台２１とネットフレーム枠２２とを立てて組み立てる場合、ボルト２１５を孔２２５に通してナット２１６で締め付け定位すれば、下台２１と上層ネットフレーム枠２２とはしっかりと結合される。
【００１４】
上述を用いて構成されるバスケットボールのシューティングマシン（図１参照）を分解する場合、先ず斜め板１４と両側の上当て板１２とを取り出し（図２から図４参照）、次に外ボール案内板１５とボール当て１６とを取り出し（図５参照）、並びに前部箱１０と後部箱２０とを離して（図６参照）横方向支柱１７を取り出し、更に下台２１の両側上枠板２１１を取り外し（図７参照）、続いて内ボール案内板２４を倒し下ろして頂板２５を取り外し（図８参照）、それによって二枚の側板２３はそれぞれ外へ倒されて下台２１の両側に置かれ（図９参照）、更にネットフレーム枠２２の背部箱の蓋板２２３、２２４を開き（図１０参照）、ボルト２１５とナット２１６との締め付けを緩めば全体の上層ネットフレーム枠２２を垂直に倒して下台２１の上に置き（図１１または図１２参照）、迅速に前部箱１０と後部箱２０との分解を完成することができ（図１３参照）、最後は間隔を縮減した前部箱１０を後部箱２０内に押し込んで重ね整合を形成する（図１４参照）。この場合、それの全体体積は大幅に縮減して約元来体積の四分の一になるので、倉庫保管、運送または収納に適用され、約７５％の占める空間を節約することができる。
【００１５】
前述前部箱１０と後部箱２０とはそれぞれ箱の底部に複数個の脚敷き３１及びキャスター３２が設けられてもよく、脚敷き３１は高さを自由に調整することができて地面での支え定位に供され、または地面を離れてからキャスター３２を用いて前部箱１０及び後部箱２０の快速移動に供される。
上述実施例に開示したのは本考案の主要技術の実例の説明だけであり、それは本案の技術範囲を限定するものではなく、およそ同等効果の応用、または前項技術手段に基づいて行った簡易な変更または入れ替えはすべて本案の技術範囲に属するものと見なす。
【図面の簡単な説明】
【００１６】
【図１】本考案の一実施例による快速に分解組み合せ可能なバスケットボールのシューティングマシンの斜視図である。
【図２】本考案の一実施例による快速に分解組み合せ可能なバスケットボールのシューティングマシンの分解時組み合せの状態を示す斜視図である。
【図３】本考案の一実施例による快速に分解組み合せ可能なバスケットボールのシューティングマシンの分解組み合せ時の状態を示す斜視図である。
【図４】本考案の一実施例による快速に分解組み合せ可能なバスケットボールのシューティングマシンの分解組み合せ時の状態を示す斜視図である。
【図５】本考案の一実施例による快速に分解組み合せ可能なバスケットボールのシューティングマシンの分解組み合せ時の状態を示す斜視図である。
【図６】本考案の一実施例による快速に分解組み合せ可能なバスケットボールのシューティングマシンの分解組み合せ時の状態を示す斜視図である。
【図７】本考案の一実施例による快速に分解組み合せ可能なバスケットボールのシューティングマシンの分解組み合せ時の状態を示す斜視図である。
【図８】本考案の一実施例による快速に分解組み合せ可能なバスケットボールのシューティングマシンの分解組み合せ時の状態を示す斜視図である。
【図９】本考案の一実施例による快速に分解組み合せ可能なバスケットボールのシューティングマシンの分解組み合せ時の状態を示す斜視図である。
【図１０】本考案の一実施例による快速に分解組み合せ可能なバスケットボールのシューティングマシンの分解組み合せ時の状態を示す斜視図である。
【図１１】本考案の一実施例による快速に分解組み合せ可能なバスケットボールのシューティングマシンの分解組み合せ時の状態を示す斜視図である。
【図１２】図１１の裏面状態を示す斜視図である。
【図１３】本考案の一実施例による快速に分解組み合せ可能なバスケットボールのシューティングマシンの分解組み合せ時の状態を示す斜視図である。
【図１４】本考案の一実施例による快速に分解組み合せ可能なバスケットボールのシューティングマシンの分解組み合せ完了時の状態を示す斜視図である。
【図１５】本考案の一実施例による快速に分解組み合せ可能なバスケットボールのシューティングマシンの下当て板及び電子コイン投入箱台を示す分解斜視図である。
【図１６】本考案の一実施例による快速に分解組み合せ可能なバスケットボールのシューティングマシンの凹形嵌合部を示す模式図である。
【図１７】本考案の一実施例による快速に分解組み合せ可能なバスケットボールのシューティングマシンの下当て板を電子コイン投入箱台の凹形嵌合部に嵌め込み結合した状態を示す模式図である。
【図１８】本考案の一実施例による快速に分解組み合せ可能なバスケットボールのシューティングマシンの下当て板を電子コイン投入箱台の凹形嵌合部に嵌め込み結合した状態を示す模式図である。
【図１９】本考案の一実施例による快速に分解組み合せ可能なバスケットボールのシューティングマシンのピンをピン孔に差し込んだ状態を示す模式図である。
【図２０】本考案の一実施例による快速に分解組み合せ可能なバスケットボールのシューティングマシンのピンをピン孔に差し込んだ後定位する状態を示す模式図である。
【図２１】本考案の一実施例による快速に分解組み合せ可能なバスケットボールのシューティングマシンの下台とネットフレームとの枢接結合の局部の状態を示す模式図である。
【図２２】図２１が分解状態に現れたときの状態を示す模式図である。
【符号の説明】
【００１７】
１０  前部箱、２０  後部箱、１１  電子コイン投入箱台、１１１   押しボタン、１１２  コイン投入孔、１１３  凹形嵌合部、１１３ａ、１１３ｂ  凹孔、１２  上当て板、１２１  ピン、１３  下当て板、１３１  支え筋板、１３２  嵌め孔、１３３  凸形嵌合部、１３４  ピン孔、１４  斜め板、１５  外ボール案内板、１５１  欠け口、１６  ボール当て、１７  横方向支柱、１８  レール、２１  下台、２１１  上枠板、２１２  下枠板、２１３  支え筋板、２１４  枠板、２１５  ボルト、２１６  ナット、２２  ネットフレーム枠、２２１  ネットフレーム、２２２  駆動装置、２２３、２２４  蓋板、２２５  孔、２３  側板、２３２  蝶番、２４  内ボール案内板、２４１  ボール当て板、２５  頂板、２６  枢接部材、３１  脚敷き、３２  キャスター
【図１】
0003128044.tif 000003
【図２】
0003128044.tif 000004
【図３】
0003128044.tif 000005
【図４】
0003128044.tif 000006
【図５】
0003128044.tif 000007
【図６】
0003128044.tif 000008
【図７】
0003128044.tif 000009
【図８】
0003128044.tif 000010
【図９】
0003128044.tif 000011
【図１０】
0003128044.tif 000012
【図１１】
0003128044.tif 000013
【図１２】
0003128044.tif 000014
【図１３】
0003128044.tif 000015
【図１４】
0003128044.tif 000016
【図１５】
0003128044.tif 000017
【図１６】
0003128044.tif 000018
【図１７】
0003128044.tif 000019
【図１８】
0003128044.tif 000020
【図１９】
0003128044.tif 000021
【図２０】
0003128044.tif 000022
【図２１】
0003128044.tif 000023
【図２２】
0003128044.tif 000024